(57)【要約】【課題】内容物（化粧料）を人体に対して広範囲に且つ均一にふわっとしたやさしい感触で噴き付けることができ、またこれを簡易な構造で実現することができ、さらに噴射剤として液化ガスを用いる場合にも噴き付けられた際の冷たさを感じにくい人体用エアゾール製品を提供すること。【解決手段】内容物を収容する容器本体と、前記容器本体の上部に取り付けられ押圧することにより前記内容物を噴口から噴射する噴射ボタンとを備え、前記内容物を人体に対して噴射するエアゾール製品であって、前記内容物は、化粧料と噴射剤とを含み、前記噴口は、前記内容物の噴射時において噴射力により移動することを特徴とする人体用エアゾール製品である。【選択図】図１
2014189283.tif 000002
【特許請求の範囲】
【請求項１】
内容物を収容する容器本体と、前記容器本体の上部に取り付けられ押圧することにより前記内容物を噴口から噴射する噴射ボタンとを備え、前記内容物を人体に対して噴射するエアゾール製品であって、
前記内容物は、化粧料と噴射剤とを含み、
前記噴口は、前記内容物の噴射時において噴射力により移動することを特徴とする人体用エアゾール製品。
【請求項２】
前記噴射ボタンは、押圧することによりステムを押し下げるボタン本体と、前記ボタン本体に取り付けられて前記噴口を有する噴射ノズルとを備えており、
前記噴射ノズルは、前記内容物の噴射時において回転することを特徴とする請求項１記載の人体用エアゾール製品。
【請求項３】
前記噴射ノズルは、前方水平方向又は前方斜め上方向に延びる軸を中心に回転することを特徴とする請求項２記載の人体用エアゾール製品。
【請求項４】
前記噴射剤が液化ガスを含む請求項１〜３のいずれか１項に記載の人体用エアゾール製品。
【請求項５】
前記内容物中の前記化粧料と前記噴射剤の重量比が５：９５〜８０：２０である請求項１〜４のいずれか１項に記載の人体用エアゾール製品。
【発明の詳細な説明】
【技術分野】
【０００１】
本発明は、内容物（化粧料）を広範囲に且つ均一に人体に対して噴射することができる人体用エアゾール製品に関する。
【背景技術】
【０００２】
人体に対して内容物（化粧料等）を噴射するエアゾール製品においては、内容物が使用者の人体に対して局所的に強く噴き付けられると使用者が痛みを感じたり塗布ムラが生じたりするため、内容物を広範囲に且つ均一にふわっとしたやさしい感触で人体に噴き付けることができる性能が要求される。
従来、このような要求を満たすべく考案された技術として、例えば下記特許文献１，２の開示技術が知られている。
【０００３】
特許文献１，２の開示技術は、内容物を噴射する噴口の前方に回転羽根を取り付け、噴口から噴出された内容物を、回転羽根の回転により拡散させるように構成されているものである。
【先行技術文献】
【特許文献】
【０００４】
【特許文献１】特開平１１−１５６２５７号公報
【特許文献２】特開２００２−１７９１６６号公報
【発明の概要】
【発明が解決しようとする課題】
【０００５】
しかしながら、これらの開示技術は、噴射された内容物を回転羽根の回転により生じる気流によってある程度は拡散することはできるものの、噴口の位置自体は固定されているため、内容物は噴口を中心に偏って噴射されてしまう。そのため、内容物を人体に対して広範囲に且つ均一にふわっとしたやさしい感触で噴き付けることはできない。
また、回転羽根を回転させるための駆動源（モータ等）を必要とするため、噴射機構の構造が複雑化するという問題もあった。
さらに、噴射剤として液化ガスを含む場合には、噴き付けられることにより、冷たさを感じやすいという問題もあった。
【０００６】
本発明は、上記したような従来技術の問題点を解決すべくなされたものであって、内容物（化粧料）を人体に対して広範囲に且つ均一にふわっとしたやさしい感触で噴き付けることができる人体用エアゾール製品を提供するものである。また、これを簡易な構造で実現することができる人体用エアゾール製品を提供するものである。さらに、噴射剤として液化ガスを用いる場合にも、噴き付けられた際の冷たさを感じにくい人体用エアゾール製品を提供するものである。
【課題を解決するための手段】
【０００７】
本発明は、内容物を収容する容器本体と、前記容器本体の上部に取り付けられ押圧することにより前記内容物を噴口から噴射する噴射ボタンとを備え、前記内容物を人体に対して噴射するエアゾール製品であって、前記内容物は、化粧料と噴射剤とを含み、前記噴口は、前記内容物の噴射時において噴射力により移動することを特徴とする人体用エアゾール製品である。
【０００８】
好ましくは、前記噴射ボタンは、押圧することによりステムを押し下げるボタン本体と、前記ボタン本体に取り付けられて前記噴口を有する噴射ノズルとを備えており、前記噴射ノズルは、前記内容物の噴射時において回転する。
【０００９】
好ましくは、前記噴射ノズルは、前方水平方向又は前方斜め上方向に延びる軸を中心に回転する。
【００１０】
好ましくは、前記噴射剤が液化ガスを含む。
【００１１】
好ましくは、前記内容物中の前記化粧料と前記噴射剤の重量比が５：９５〜８０：２０である。
【発明の効果】
【００１２】
本発明によれば、噴口が内容物の噴射時において移動することから、内容物（化粧料）を同じ箇所へ連続して噴射することがなく、人体に対して広範囲に且つ均一に噴射することができる。また、噴口が内容物の噴射時において噴射力により移動することから、内容物（化粧料）を人体に対してふわっとしたやさしい感触で噴き付けることができる。そのため、噴射剤が液化ガスを含んでいても噴射されることによる冷たさを感じにくい。さらに、モータ等の駆動源を必要とせず、噴射機構を簡易な構造とすることができる。
【００１３】
前記噴射ボタンが、押圧することによりステムを押し下げるボタン本体と、前記ボタン本体に取り付けられて前記噴口を有する噴射ノズルとを備えており、前記噴射ノズルは、前記内容物の噴射時において回転する場合には、噴射ノズルが内容物の噴射時において回転することから、内容物をより広範囲に満遍なく拡散して噴射することができる。そのため、内容物（化粧料）を人体に対してより一層ふわっとしたやさしい感触で噴き付けることができる。さらに、冷たさを感じさせにくくできる。
【００１４】
前記噴射ノズルが、前方水平方向又は前方斜め上方向に延びる軸を中心に回転する場合には、噴射ノズルが噴射ボタンを押す手指や容器本体に当たりにくくなる。そのため、操作性、安全性がより一層向上するとともに、噴射ノズルの回転半径をさらに大きくして内容物をより広範囲に拡散して噴射することも可能となる。
【００１５】
前記噴射剤が液化ガスを含む場合には、内容物の噴射力がより安定するため、内容物の噴射時において、噴口をより安定的に移動させることができる。特に、より安定的に噴射ノズルを回転させることができる。
【００１６】
前記内容物中の前記化粧料と前記噴射剤の重量比が５：９５〜８０：２０である場合には、内容物の噴射力がより適正な範囲となるため、内容物の噴射時における、噴口の移動速度、特に、噴射ノズルを回転速度がより適正な範囲となる。これにより、噴射される内容物（化粧料）の液滴のサイズがより一層適正なものとなり、より一層ふわっとしたやさしい感触で噴き付けることができるようになる。
【図面の簡単な説明】
【００１７】
【図１】本発明に係るエアゾール製品の要部を示す斜視図である。
【図２】本発明に係るエアゾール製品の要部を示す平面図である。
【図３】図２のＡ−Ａ線断面図である。
【図４】本発明に係るエアゾール製品の第二実施形態の要部を示す斜視図である。
【図５】本発明に係るエアゾール製品の第二実施形態の要部を示す平面図である。
【図６】図５のＢ−Ｂ線断面図である。
【図７】本発明に係るエアゾール製品の第三実施形態の要部を示す斜視図である。
【図８】本発明に係るエアゾール製品の第三実施形態の要部を示す平面図である。
【図９】図８のＣ−Ｃ線断面図である。
【図１０】本発明に係るエアゾール製品の第四実施形態の要部を示す前方斜視図である。
【図１１】本発明に係るエアゾール製品の第四実施形態の要部を示す後方斜視図である。
【図１２】本発明に係るエアゾール製品の第四実施形態の要部を示す平面図である。
【図１３】本発明に係るエアゾール製品の第四実施形態の要部を示す前面図である。
【図１４】本発明に係るエアゾール製品の第四実施形態の要部を示す右側面図である。
【図１５】本発明に係るエアゾール製品の第四実施形態の要部を示す後面図である。
【図１６】本発明に係るエアゾール製品の第四実施形態において、噴射ボタンを傾動させた状態を示す図である。
【発明を実施するための形態】
【００１８】
以下、本発明に係る人体用エアゾール製品（以下、単にエアゾール製品と称す）の好適な実施形態について、適宜図面を参照しながら説明する。
図１〜図３は本発明に係るエアゾール製品の要部を示す図であって、図１は斜視図、図２は平面図、図３は図２のＡ−Ａ線断面図である。
【００１９】
本発明に係るエアゾール製品は、人体に対して内容物を噴射するエアゾール製品であって、上記内容物を収容する容器本体（１）と、容器本体（１）の上部に取り付けられ押圧することにより上記内容物を噴口から噴射する噴射ボタン（２）とを備えている。尚、図においては、容器本体（１）は上方部分のみ示している。
【００２０】
（容器本体）
容器本体（１）は、例えば金属製の有底円筒状のものであって、上端部の中央にはステム（３）が上方に突出して設けられている。
噴射ボタン（２）は、下面の中央に形成された上方へと延びる穴（４）を有しており、この穴（４）にステム（３）の上端部が挿着されることにより、ステム（３）に対して噴射ボタン（２）が装着されている。尚、本発明においては、噴射ボタン（２）は必ずしもステム（３）に装着されている必要はない。噴射ボタン（２）は、押圧時にステム（３）を押し下げることができるように配設されていればよく、例えば噴射ボタン（２）が非押圧時にはステム（３）と非接触状態にあるが、押圧時にステム（３）に接触してステムを押し下げるように構成されていてもよい。
【００２１】
（内容物）
容器本体（１）に収容された上記内容物は、化粧料と、噴射剤（好ましくは、液化ガス）とを含んでいる。なお、特に限定されないが、上記内容物は、上記化粧料及び上記噴射剤のみを含むことが好ましい。すなわち、上記内容物１００重量％中、上記化粧料の含有量と上記噴射剤の含有量の合計は１００重量％であることが好ましい。
上記化粧料としては、特に限定されないが、例えば、デオドラント剤、フレグランス剤、化粧水、整髪剤、染毛剤、日焼け止め剤、制汗剤等が挙げられる。中でも、デオドラント剤、フレグランス剤、化粧水、日焼け止め剤、制汗剤等が好ましい。
上記化粧料は、特に限定されないが、例えば、水；エタノール等のアルコール；メントール、メントール誘導体（例えば、メンチルグリセリルエーテル、メンチルラクテート、メントール配糖体等）、カンファ、ハッカ油、ペパーミント油、ユーカリプタスオイル等の冷感成分；リナロール、ゲラニオール、ヒドロキシシトロネラール、ユーカリプトール等の香料；塩化アルミニウム、硫酸アルミニウムカリウム、硫酸アルミニウム、酢酸アルミニウム、クロロヒドロキシアルミニウム、アラントインクロロヒドロキシアルミニウム、パラフェノールスルホン酸亜鉛等の制汗成分；塩化ベンザルコニウム、塩化ベンゼトニウム、ハロカルバン、トリクロロカルバニリド、塩酸クロルヘキシジン、イソプロピルメチルフェノール、トリクロサン、グルコン酸クロルヘキシジン、塩化リゾチーム等の殺菌成分；酸化亜鉛、アルキルジエタノールアミド、ヒドロキシアパタイト、茶抽出物、シクロデキストリン誘導体等の消臭成分；グリチルリチン酸ジカリウム、アラントイン、ヒノキチオール等の抗炎症成分；アルブチン、アスコルビン酸及びその誘導体等の美白成分；シャクヤク、ボタンピ、ビワ、アロエ等の植物抽出エキス；１，３−ブチレングリコール、ジプロピレングリコール、１，２−ペンタンジオール、１，２−ヘキサンジオール、１，２−オクタンジオール、１，２−デカンジオール等の多価アルコール；カルボキシビニルポリマー、ヒドロキシエチルセルロース、グアーガム、キサンタンガム等の増粘性高分子；セチルアルコール、ステアリルアルコール等の高級アルコール；流動パラフィン、スクワラン等の炭化水素；ミリスチン酸イソプロピル、２−エチルヘキサン酸セチル等の脂肪酸エステル；エデト酸塩、リン酸、ポリリン酸ナトリウム等の金属イオン封鎖剤；トコフェロール及びその誘導体、ジブチルヒドロキシトルエン、亜硫酸塩等の酸化防止剤；パラアミノ安息香酸、パラメトキシケイ皮酸２−エチルヘキシル、ジエチルアミノヒドロベンゾイル安息香酸ヘキシル、オクチルトリアゾン、メチレンビスベンゾトリアゾリルテトラメチルブチルフェノール、ビスエチルヘキシルオキシフェノールメトキシフェニルトリアジン、オクトクリレン、フェニルベンズイミダゾールスルホン酸等の紫外線吸収剤；フェノキエタノール、オクトキシグリセリン、パラベン等の防腐剤；シリカ、タルク、マイカ、ナイロンパウダー等の粉体；ジメチコンやジメチコノールなどのシリコーン油などを含有してもよい。
【００２２】
上記化粧料としては、特に、香料を含有するフレグランス剤；制汗成分を含有する制汗剤；殺菌成分を含有するデオドラント剤；紫外線吸収剤を含有する日焼け止め剤；多価アルコールを含有する化粧水等が好ましく例示される。
【００２３】
上記噴射剤としては、特に限定されないが、例えば、液化石油ガス（プロパン、ブタン等の炭素数４以下の低沸点の炭化水素からなる液化石油ガス等）、ジメチルエーテル等の液化ガス；イソブタン、空気、窒素、炭酸ガス、亜酸化窒素などが挙げられる。
【００２４】
上記噴射剤は、噴射力をより安定化させ、内容物の噴射時において、噴口をより安定的に移動させる（特に、より安定的に噴射ノズルを回転させる）観点から、液化ガスを少なくとも含むことが好ましい。また、本発明によれば、噴射剤に液化ガスを含む場合にも、噴射時に、噴射対象に対して、冷たさを感じさせにくいため好ましい。上記液化ガスとしては、中でも、液化石油ガス（ＬＰＧ：Ｌｉｑｕｅｆｉｅｄ  Ｐｅｔｒｏｌｅｕｍ  Ｇａｓ）、ジメチルエーテル（ＤＭＥ：Ｄｉｍｅｔｈｙｌ  ｅｔｈｅｒ）が好ましい。
【００２５】
上記噴射剤中の上記液化ガスの含有量は、特に限定されないが、上記噴射剤１００重量％に対して、９０〜１００重量％が好ましく、より好ましくは９５〜１００重量％である。上記液化ガスの含有量が９０重量％未満では、エアゾール製品の使用に伴い、噴射力が低下して、内容物の噴射時において、噴口が移動しにくくなる（例えば、噴射ノズルが回転しにくくなる）場合がある。
【００２６】
上記内容物中の上記化粧料の含有量は、特に限定されないが、上記内容物１００重量％に対して、５〜８０重量％が好ましく、より好ましくは１０〜７０重量％である。また、上記内容物中の上記噴射剤の含有量は、特に限定されないが、上記内容物１００重量％に対して、２０〜９５重量％が好ましく、より好ましくは３０〜９０重量％である。また、上記内容物中の、上記化粧料と上記噴射剤の重量比［化粧料：噴射剤］は、５：９５〜８０：２０が好ましく、より好ましくは１０：９０〜７０：３０である。上記範囲とすることにより、噴射力がより適正な範囲となるため、内容物の噴射時における、噴口の移動速度、特に、噴射ノズルを回転速度がより適正な範囲となる。これにより、噴射される内容物（化粧料）の液滴のサイズがより一層適正なものとなり、より一層ふわっとしたやさしい感触で噴き付けることができるようになる。上記化粧料の含有量が少なすぎる（噴射剤の量が多すぎる）場合には、噴口の移動速度が速くなり、噴射される化粧料の液滴のサイズが小さくなりすぎる場合がある。上記化粧料の含有量が多すぎる（噴射剤の量が少なすぎる）場合には、噴口の移動速度が遅くなり、噴射される化粧料の液滴のサイズが大きくなりすぎる場合がある。
【００２７】
（噴射ボタン）
噴射ボタン（２）は、容器本体（１）に設けられたステム（３）に装着されたボタン本体（５）と、ボタン本体（５）に取り付けられた噴射ノズル（６）とを備えている。ボタン本体（５）には、穴（４）と、穴（４）の上端部付近から前方水平方向又は前方斜め上方向（より好ましくは図示の如く前方斜め上方向）に延びてボタン本体の前方で開口する通路（７）が形成されており、噴射ノズル（６）は通路（７）に取り付けられている。
尚、本発明においては、噴射ボタン（２）の噴射ノズル（６）が取り付けられている側（図３の左側）を前方と称し、噴射ノズル（６）が取り付けられてない側（図３の右側）を後方と称している。
【００２８】
噴射ノズル（６）は、内容物を噴射するための噴口（８）を有している。
噴口（８）は、内容物の噴射時において噴射力により移動する。ここで「噴射力により移動する」とは、内容物の噴射により発生する力を受けて移動することを意味し、人力による移動（手指で噴射ボタン（２）を押し下げる動作に伴う移動（下降））は含まない。
移動の態様は特に限定されず、回転移動や往復移動（例えば左右方向や上下方向の往復移動）などを例示することができるが、本発明では回転移動が特に好ましく採用できる。そのため、以下の説明では、噴口（８）が内容物の噴射時において回転するものについて説明する。
【００２９】
噴射ノズル（６）は、ボタン本体（５）に形成された通路（７）に嵌入される略円筒状の基部（６ａ）と、この基部（６ａ）の先端から二股に分かれて延設された延設部（６ｂ）とを有している。
２つの延設部（６ｂ）のそれぞれの先端には噴口（８）が形成されている。尚、噴口（８）は２つの延設部（６ｂ）のいずれか一方にのみ形成してもよいが、噴射ノズル（６）を円滑に回転させるためには両方に形成することが好ましい。また、延設部（６ｂ）は３つ以上形成してもよい、即ち基部（６ａ）の先端を三股以上に分岐させてもよい。また、延設部（６ｂ）は１つのみ形成してもよい。
【００３０】
基部（６ａ）及び延設部（６ｂ）には、ステム（３）から穴（４）を通って上昇してきた容器本体（１）の内容物を導くための内部通路が形成されており、この内部通路を通って導かれた内容物が２つの噴口（８）から噴射される。
２つの噴口（８）は、互いに異なる方向に向けて開口している。具体的には、一方の噴口（８）は右斜め前方に向けて、他方の噴口（８）は左斜め前方に向けて、それぞれ開口している。つまり、図示の場合は、噴口（８）の向き（即ち噴射方向）は、噴射ボタン（２）の押圧方向（上下方向）とは異なっている。
【００３１】
２つの延設部（６ｂ）について、一方の延設部の内部通路の中心軸（Ｌ１）と、他方の延設部の内部通路の中心軸（Ｌ２）とのなす角のうち、噴射ノズル（６）の前方における角（α）の大きさは、特に限定されないが、９０°＜α≦１８０°に設定することが好ましく、１２０°＜α＜１８０°に設定することがより好ましい。
角（α）が９０°以下であると噴射ノズル（６）を円滑に回転させることが困難となる場合があり、１８０°より大きくなると噴射ノズル（６）がボタン本体（５）を押す手指や容器本体（１）に当たり易くなり操作性が低下する場合がある。
【００３２】
上記構成からなる噴射ボタン（２）によれば、ボタン本体（５）を手指で押し下げてステム（３）を下降させると、容器本体（１）の内容物は、ステム（３）から穴（４）を通って上昇し、通路（７）を通り、さらに基部（６ａ）及び延設部（６ｂ）の内部通路を通って導かれ、２つの噴口（８）から噴射される。すると、噴射力の反作用により噴射ノズル（６）が通路（７）の中心軸を中心に回転し、これに伴って噴口（８）が回転移動する。内容物は回転移動する噴口（８）から、噴射ボタン（２）の押圧方向（上下方向）とは異なる方向（斜め前方）に向けて円環状の軌跡を描きながら噴射される。
【００３３】
なお、本明細書では、噴射ノズル（６）が回転する中心となる軸を「回転軸」と称する場合がある。特に限定されないが、上記回転軸は、一般的に、噴口（８）が回転する軌跡である円の中心を通り、上記円が存在する平面と垂直な直線である。取扱い性の観点から、上記回転軸は噴射ボタン（２）の押圧方向とは異なることが好ましい。上記回転軸と噴射ボタン（２）の押圧方向とのなす角は、特に限定されないが、５５〜９０°が好ましく、より好ましくは６０〜８０°である。また、上記回転軸と水平軸がなす角は、特に限定されないが、０〜３５°が好ましく、より好ましくは１５〜３５°である。
【００３４】
このように、噴口（８）が内容物の噴射時において移動することから、内容物（化粧料）を人体に対して広範囲に且つ均一に噴射することができる。また、噴口（８）は内容物の噴射時において噴射力の反作用により移動することから、モータ等の駆動源を必要とせず、噴射機構を簡易な構造とすることができる。
また、噴射ノズル（６）は、前方水平方向又は前方斜め上方向に延びる通路（７）に取り付けられているため、前方水平方向又は前方斜め上方向に延びる軸（通路（７）の中心軸）を中心に回転する。これにより、回転する噴射ノズル（６）が、ボタン本体（５）を押す手指や容器本体に当たりにくくなる。そのため、使用時における操作性や安全性が高くなるとともに、必要に応じて噴射ノズル（６）の回転半径を大きくして内容物を広範囲に拡散して噴射することも可能となる。
【００３５】
図４〜図６は本発明に係るエアゾール製品の別の実施形態（第二実施形態）の要部を示す図であって、図４は斜視図、図５は平面図、図６は図５のＢ−Ｂ線断面図である。
図７〜図９は本発明に係るエアゾール製品の更に別の実施形態（第三実施形態）の要部を示す図であって、図７は斜視図、図８は平面図、図９は図８のＣ−Ｃ線断面図である。
これら第二及び第三実施形態のエアゾール製品は、上述した図１〜図３に示した実施形態（第一実施形態）と基本構成が共通しているため、共通する構成については同じ符号を付して説明を省略し、異なる構成についてのみ説明する。
【００３６】
第二及び第三実施形態のエアゾール製品は、噴射ノズル（６）のボタン本体（５）に対する取り付け角度が、第一実施形態のエアゾール製品とは異なっている。
第一実施形態のエアゾール製品では、噴射ノズル（６）の基部（６ａ）が嵌入される通路（７）の中心軸と水平軸とのなす角（β）が、１５°に設定されている。これに対して、第二実施形態のエアゾール製品では角（β）が２５°に設定され、第三実施形態のエアゾール製品では角（β）が３５°に設定されている。
本発明では、特に限定されないが、角（β）を１５°≦β≦３５°の範囲に設定することが好ましい。角（β）が１５°未満であると噴口（８）から噴射された内容物が容器本体（１）に当たり易くなる場合があり、３５°を超えると噴射ノズル（６）がボタン本体（５）を押す手指に当たり易くなる場合がある。
また、角（β）が小さすぎると、延設部（６ｂ）の下端部と容器本体（１）の上端部との間隔（ｄ）が短くなって、噴射ボタン（２）を押し下げた時に延設部（６ｂ）が容器本体（１）に当たり易くなるという問題が生じる場合もある。この問題は、延設部（６ｂ）の長さを短くすれば解決できるものの、その場合、内容物噴射時の拡散性能が低下する場合がある。
【００３７】
角（β）を如何なる大きさに設定する場合であっても、平面視において延設部（６ｂ）の先端がボタン本体（５）の中心まで達しないように、即ち、間隔（Ｄ）（図２，５，８参照）が形成されるようにすることが好ましい。つまり、間隔（Ｄ）がＤ＞０となるようにすることが好ましい。これにより、ボタン本体（５）の上面に手指を置くための十分なスペースが確保され、噴射ノズル（６）がボタン本体（５）を押す手指に当たりにくくなる。そのため、使用時における操作性や安全性がより高くなる。
【００３８】
図１０〜図１５は本発明に係るエアゾール製品の更に別の実施形態（第四実施形態）の要部を示す図であって、図１０は前方斜視図、図１１は後方斜視図、図１２は平面図、図１３は前面図、図１４は右側面図、図１５は後面図である。
第四実施形態のエアゾール製品も、上述した図１〜図３に示した実施形態（第一実施形態）と基本構成が共通しているため、共通する構成については同じ符号を付して説明を省略し、異なる構成についてのみ説明する。
【００３９】
ボタン本体（５）は、上面が噴射ノズル（６）と反対側（後ろ側）において下向きの傾斜面（９）とされており、傾斜面（９）を手指で下向きに押圧すると、噴射ノズル側（前側）の下面を支点として噴射ノズル（６）と共に傾動する（図１６参照）。これにより、ステム（３）が押し下げられ、内容物が噴射ノズル（６）の噴口（８）から噴射される。
【００４０】
第四実施形態のエアゾール製品によれば、噴射ノズル（６）と反対側（後ろ側）に形成された下向きの傾斜面（９）を手指で押すことができるため、噴射ノズル（６）が噴射ボタン（２）を押す手指に当たりにくくなり、操作性、安全性がより一層向上する。また、傾斜面（９）を手指で下向きに押圧すると、噴射ボタン（２）は噴射ノズル側（前側）の下面を支点として噴射ノズル（６）と共に傾動するため、上述した間隔（ｄ）が長くなり、噴射ノズル（６）が容器本体（１）に当たりにくくなる。そのため、必要に応じて噴射ノズルの回転半径を大きくすることができ、内容物を広範囲に拡散して噴射することが可能となる。
【００４１】
本発明に係るエアゾール製品は、特に限定されないが、対象物から１０ｃｍ離れた距離（噴射距離）から噴射した際の噴射面積が３００ｃｍ２以上（例えば、３００〜１３００ｃｍ２）であることが好ましく、より好ましくは７００ｃｍ２以上である。
【００４２】
本発明に係るエアゾール製品は、人体に対して噴射して使用される、人体用エアゾール製品である。本発明に係るエアゾール製品の適用部位は、特に限定されないが、例えば、腕部、足部、胸部、背部、頭部、脇部、脚部、腹部などが挙げられる。本発明に係るエアゾール製品は、衣類などの上から使用されてもよい。中でも、本発明は噴射時に噴射対象に冷たさを感じさせにくい特徴を有するため、人体に直接噴射して使用される用途に特に好ましく用いられる。
本発明に係る冷却用エアゾール製品は、例えば、噴射ノズルを人体の適用部位の方向に向けて、噴射ボタンを押すことにより使用する。
【００４３】
本発明に係るエアゾール製品は、特に限定されないが、手で持って使用する、手持ち型のエアゾール製品であることが好ましい。本発明に係るエアゾール製品は、空間消臭や、防虫などに用いられる製品のような、置き型の製品形態では、人体に対して確実に且つ広範囲に噴き付けることができず、十分な効果を発揮できない場合がある。
【００４４】
本発明に係るエアゾール製品を噴射した場合、噴口自体が移動するため、噴口を固定して回転羽根を用いて拡散させる場合（上記特許文献１，２参照）と比べると、内容物を広範囲に且つ均一に拡散させることができる。そのため、内容物（化粧料）を人体に対して広範囲に且つ均一にふわっとしたやさしい感触で噴き付けることが可能となる。さらに、一般的なエアゾール製品は、特に噴射剤として液化ガスを含む場合などには、噴射対象に冷たさを感じさせる場合があるが、本発明に係るエアゾール製品は、ふわっとしたやさしい感触で噴き付けるため、噴射対象（人体）に冷たさを感じさせにくいため好ましい。
【実施例】
【００４５】
以下、本発明の実施例を示すことにより、本発明の効果をより明確なものとする。しかし、本発明は以下の実施例に限定されるものではない。
【００４６】
＜実施例１＞
図１〜３に示した噴射ボタンを有するエアゾール容器（容量：２８６ｍｌ）に、下記に示した内容物（重量：１００ｇ）を充填し、エアゾール製品（フレグランススプレー）を製造した。
（化粧料：フレグランス剤）
エタノール                                                        ９３重量％
香料                                                                ５重量％
１，３−ブチレングリコール                                          １重量％
メチルフェニルポリシロキサン                                        １重量％
（噴射剤）
液化石油ガス（ブタン／プロパン（重量比）＝９９／１）            １００重量％
フレグランス剤／噴射剤（重量比）＝３０／７０
【００４７】
実施例１で得られたエアゾール製品を、１０ｃｍの距離から、腕に対して、３秒間噴射した。その結果、実施例１で得られたエアゾール製品は人体に対してふわっとしたやさしい感触で着香でき、不快な冷たさを感じることはなかった。
【００４８】
以下に、本発明に係るエアゾール製品の処方例を示す。なお、容器本体や噴射ボタンとしては、上記の実施例に例示したものを用いることができる。
【００４９】
処方例１（デオドラントスプレー）
（化粧料：デオドラント剤）
エタノール                                                        ９８重量％
パラフェノールスルホン酸亜鉛                                    ０．３重量％
イソプロピルメチルフェノール                                    ０．１重量％
メチルフェニルポリシロキサン                                        １重量％
香料                                                            ０．６重量％
（噴射剤）
液化石油ガス（ブタン／プロパン（重量比）＝９９／１）            １００重量％
デオドラント剤／噴射剤（重量比）＝５０／５０
【００５０】
処方例２（寝癖直し用スプレー）
（化粧料：寝癖直し用整髪剤）
エタノール                                                        ２０重量％
スルホコハク酸ジオクチルナトリウム液（７５％））                  ０．１重量％
ｌ−メントール                                                  ０．３重量％
ｌ−メンチルグリセリルエーテル                                  ０．３重量％
精製水                                                            ７９重量％
香料                                                            ０．３重量％
（噴射剤）
ジメチルエーテル                                                １００重量％
寝癖直し用整髪剤／噴射剤（重量比）＝８０／２０
【００５１】
処方例３（化粧水スプレー）
（化粧料：化粧水）
精製水                                                            ３０重量％
ジプロピレングリコール                                            １０重量％
グリセリンン                                                      １０重量％
エタノール                                                        ３０重量％
トリメチルグリシン                                                １０重量％
モノイソステアリン酸ソルビタン                                      ５重量％
イソノナン酸イソノニル                                              ５重量％
（噴射剤）
液化石油ガス（ブタン／プロパン（重量比）＝９９／１）            １００重量％
化粧水／噴射剤（重量比）＝１５／８５
【産業上の利用可能性】
【００５２】
本発明に係るエアゾール製品は、内容物（化粧料）を人体に対して広範囲に且つ均一にふわっとしたやさしい感触で噴き付けることができるため、人体用のデオドラントスプレーやフレグランススプレーとして特に好適に使用される。
【符号の説明】
【００５３】
１      容器本体
２      噴射ボタン
３      ステム
４      穴
５      ボタン本体
６      噴射ノズル
６ａ    基部
６ｂ    延設部
７      通路
８      噴口
９      傾斜面
【図１】
2014189283.tif 000003
【図２】
2014189283.tif 000004
【図３】
2014189283.tif 000005
【図４】
2014189283.tif 000006
【図５】
2014189283.tif 000007
【図６】
2014189283.tif 000008
【図７】
2014189283.tif 000009
【図８】
2014189283.tif 000010
【図９】
2014189283.tif 000011
【図１０】
2014189283.tif 000012
【図１１】
2014189283.tif 000013
【図１２】
2014189283.tif 000014
【図１３】
2014189283.tif 000015
【図１４】
2014189283.tif 000016
【図１５】
2014189283.tif 000017
【図１６】
2014189283.tif 000018